(57)【特許請求の範囲】
【請求項１】
開閉が所望される開口部の一端に位置する固定戸又は壁部からなる非移動部分と、該非移動部分に沿って移動して前記開口部を開閉するための少なくとも１つの移動引戸と、前記非移動部分に沿った方向に前記移動引戸を移動させる第１のレール、前記移動引戸を前記非移動部分と面一の位置で移動させる第２のレール及び前記第１のレールと第２のレールとの間を所定の角度で接続する傾斜レールによって一連に構成されるガイドレールとを具備する引戸装置において、
前記移動引戸であって、最終的に前記開口部を開閉する最終移動引戸が、
ガイドレール上を移動する第１の滑車を具備すると共に、該第１の滑車を回転自在に保持し且つ前記最終移動引戸の閉扉方向前方である一端側を回転自在に支持する第１の支持部を具備する第１の滑車機構と、
前記第１の支持部に回転自在に保持される一端を有すると共に、前記最終移動引戸の上端縁に沿って延出する連結プレートと、
前記ガイドレール上を移動する第２の滑車を具備すると共に、該第２の滑車を回転自在に保持し且つ前記連結プレートの他端に固定される第２の支持部を有する第２の滑車機構と、
前記最終移動引戸の上端縁の他端側に固定され、前記最終移動引戸と前記連結プレートとが平行に位置する時に、前記連結プレートの他端上に位置して前記最終移動引戸の他端側を保持すると共に、前記最終移動引戸が前記非移動部分と整合する位置に移動した場合に、前記非移動部分に設けられた保持部に位置して前記最終移動引戸の他端側を保持する保持機構とを具備することを特徴とする引戸装置。
【請求項２】
前記保持機構は、前記連結プレートの他端側に設けられた支持部と、前記非移動部分に設けられた固定側保持部と、前記最終移動引戸の上端縁の他端側に固定され、前記連結プレートの支持部上に位置可能な連結プレート側ローラ及び前記非移動部分に設けられた固定側保持部に位置可能な固定戸側ローラとを具備する引戸支持部とによって構成されることを特徴とする請求項１記載の引戸装置。
【請求項３】
前記保持機構は、前記連結プレートの他端側に下方に屈曲し、連結プレート側保持ローラが設けられた延出側保持部と、前記非移動部分に設けられ、固定部側保持ローラが設けられた保持部と、前記最終移動引戸の上端縁の他端側に固定され、前記連結プレートの連結プレート側保持ローラ上及び前記非移動部分の保持部に設けられた固定部側保持ローラ上に位置可能なプレート状の引戸支持部とによって構成されることを特徴とする請求項１記載の引戸装置。
【発明の詳細な説明】
【技術分野】
【０００１】
本願発明は、所定の空間を仕切るためにガイドレールに上吊りされるとともに、最終的に閉鎖された状態で最後に装着される引戸が最終開口部に完全に収まって引戸全体が面一に配置される引戸装置に関する。
【背景技術】
【０００２】
特許文献１に開示される引戸の移動機構は、引戸が走行する直線レール部と、直線レール部の途中から開口部を正面からみて背方側に向けて分岐した円弧状レール部と、直線レール部の一端部から直線レール部の延長線よりも開口部を正面からみて背方側にずれ且つ円弧状レール部から離れる２方向に向けて連出した回動支点側レール部とによって、レールを構成し、円弧状レール部の円弧を、引戸に設けた２個のランナのうち一方のランナが回動支点側レール部の奥に位置したランナを中心に引戸を回動した際における他方のランナが描く回動軌跡と一致させることを特徴とするものである。
【０００３】
特許文献２は、引戸ごとに対応して点対称に形成された２つの溝を有するとともに、引戸にこの溝に案内される下部被案内装置を設けた引戸装置を開示する。
【０００４】
特許文献３に開示される上吊り引戸の移動機構は、直列状に立設した左右の壁部材間で開口した引戸開閉部に向けて戸先側を湾曲させて形成し、前記壁部材の上側で固定して引戸をスライド可能の吊持する引戸レールと、その引戸レールに係合して長手方向に走行する走行体を搭載し、前記引戸の上框面における戸先側に取り付けた第１の走行体ユニットと、前記引戸レールに係合して長手方向に走行する走行体を搭載し、前記引戸の上框面における戸尻側に配設した第２の走行体ユニットと、その第２の走行体ユニットで一側を回動自在に軸支して該引戸の戸尻側を前記引戸レールに連結するリンク部材とを備え、前記引戸の閉止時、その戸先側が前記壁部材の木口面に突き当たった状態で、前記引戸を、その戸先側端部を支点として前記壁部材の厚さ方向に揺動可能に構成したことを特徴とするものである。
【０００５】
特許文献４に開示されるフラット引戸装置は、引戸を、スライド移動自在に上吊りし、閉時は、壁体と面一に並んだ閉位置に案内して開口部を閉止する一方、開時は、壁体と重なる開位置へ引き戻して前記開口部を開けるフラット引戸装置において、戸先側一端に湾曲した屈曲部を有し、該屈曲部を前記開口部内の戸尻側寄りに入り込ませた状態で、直線部を前記壁体の片側壁面に沿わせて、上方の支持体に敷設する第１引戸レールと、戸先側一端に湾曲した屈曲部を有し、該屈曲部を前記開口部内の戸先側寄りに入り込ませた状態で、直線部を前記片側壁面の前記第１引戸レールより外側に並べて、上方の前記支持体に敷設する第２引戸レールと、前記引戸の上端面の戸尻側に組み付け、その上端面の一側側縁に寄せて戸車を回転自在に搭載し、該戸車を前記第１引戸レールに係合する第１戸車ユニットと、前記引戸の上端面の戸先側に組み付け、その上端面の他側側縁に寄せて戸車を回転自在に搭載し、該戸車を前記第２引戸レールに係合する第２戸車ユニットと、前記壁体に、その木口側の下部で基端部を回転自在に連結する一方、先端部を、前記引戸の荷担面に長さ方向に凹設したガイド溝に係合させて引戸を前記壁体に連結するガイドリンクとを備えることを特徴とするものである。
【０００６】
特許文献５に開示される開き戸機構付き引戸の開き戸用係止装置は、スライド方向に開閉される引き戸が開き戸としてスイング方向にも開閉されるように構成された開き戸機構付き引戸において、引戸の幅方向の一端部を、この引き戸と一体にスライドされる吊枠体に開き戸機構を介して取り付け、支持体及び引戸が開き戸としてスイング方向に開閉されたときに支持体に対して係脱される係止体のうち、支持体が上記吊枠体の全幅にわたって設けられ、係止体が上記引戸のほぼ全幅にわたって設けられていることを特徴とするものである。
【先行技術文献】
【特許文献】
【０００７】
【特許文献１】特開２００４−２９３１１９号公報
【特許文献２】特開２００４−２８５５５９号公報
【特許文献３】特開２００３−２５３９４９号公報
【特許文献４】特開２００９−１６１９１２号公報
【特許文献５】実開昭６１−１５８０号公報
【発明の概要】
【発明が解決しようとする課題】
【０００８】
特許文献１、２及び４に開示される装置については、引戸が走行するレールが溝形状であるため、精密な吊り戸構造を必要とする上に、面一に扉を納めるためには走行する溝型レールを正確に曲げる加工技術が不可欠であり、そのために個々の部品価格が高くなるという不具合が生じる。
【０００９】
また、特許文献５に開示されるように、引戸が開き戸として利用される場合、引戸の自重による垂れ下がりが問題となるため、この特許文献５で開示された考案では、支持体を吊枠体の全幅にわたって設け、係止体を引戸のほぼ全幅にわたって設けることから、嵌合時摩擦に抗した力を必要とする上に構造が複雑になるという問題が生じる。この問題は、特許文献３に開示される装置においても、引戸を壁部材と面一に配した場合、壁部材側のレールに位置する第２走行ユニットは引戸からリンク部材を介して離れた位置となることから、リング部材に過大な負荷がかかることになるため、破損しやすくなるという不具合が生じる。
【００１０】
このため、この発明は、複数の引戸を面一に配置することができるとともに、引戸を吊り下げる滑車に対して、引戸の移動時に重心がぶれることなく確実に保持できる構造を有する引戸装置を提供することにある。
【課題を解決するための手段】
【００１１】
このため、この発明は、開閉が所望される開口部の一端に位置する固定戸又は壁部からなる非移動部分と、該非移動部分に沿って移動して前記開口部を開閉するための少なくとも１つの移動引戸と、前記非移動部分に沿った方向に前記移動引戸を移動させる第１のレール、前記移動引戸を前記非移動部分と面一の位置で移動させる第２のレール及び前記第１のレールと第２のレールとの間を所定の角度で接続する傾斜レールによって一連に構成されるガイドレールとを具備する引戸装置において、前記移動引戸であって、最終的に前記開口部を開閉する最終移動引戸が、ガイドレール上を移動する第１の滑車を具備すると共に、該第１の滑車を回転自在に保持し且つ前記最終移動引戸の閉扉方向前方である一端側を回転自在に支持する第１の支持部を具備する第１の滑車機構と、前記第１の支持部に回転自在に保持される一端を有すると共に、前記最終移動引戸の上端縁に沿って延出する連結プレートと、前記ガイドレール上を移動する第２の滑車を具備すると共に、該第２の滑車を回転自在に保持し且つ前記連結プレートの他端に固定される第２の支持部を有する第２の滑車機構と、前記最終移動引戸の上端縁の他端側に固定され、前記最終移動引戸と前記連結プレートとが平行に位置する時に、前記連結プレートの他端上に位置して前記最終移動引戸の他端側を保持すると共に、前記最終移動引戸が前記非移動部分と整合する位置に移動した場合に、前記非移動部分に設けられた保持部に位置して前記最終移動引戸の他端側を保持する保持機構とを具備することにある。
【００１２】
これによって、最終移動引戸が開口部を閉鎖する位置に移動してきた場合に、最終移動引戸を面一側に移動させることによって、最終移動引戸の他端側が連結プレート側から非移動部分に移動しても保持機構によって保持されることから、面一位置においても最終移動引戸は第１の滑車機構及び前記第２の保持機構によって保持されることから、引戸の保持力を維持できるものである。また、最終移動引戸を移動させる場合には、前記最終移動引戸の他端側は保持機構によって連結プレート側に保持されることから、第１及び第２の滑車機構によって確実に保持することが可能となるものである。また、最終移動引戸を押し引きするだけで、最終移動引戸を面一位置又は開口するための位置に移動させることができるものである。
【００１３】
また、前記保持機構は、前記連結プレートの他端側に設けられた支持部と、前記非移動部分に設けられた固定側保持部と、前記最終移動引戸の上端縁の他端側に固定され、前記連結プレートの支持部上に位置可能な連結プレート側ローラ及び前記非移動部分に設けられた固定側保持部に位置可能な固定戸側ローラとを具備する引戸支持部とによって構成されることが望ましい。
【００１４】
さらにまた、前記保持機構は、前記連結プレートの他端側に下方に屈曲し、連結プレート側保持ローラが設けられた延出側保持部と、前記非移動部分に設けられ、固定部側保持ローラが設けられた保持部と、前記最終移動引戸の上端縁の他端側に固定され、前記連結プレートの連結プレート側保持ローラ上及び前記非移動部分の保持部に設けられた固定部側保持ローラ上に位置可能なプレート状の引戸支持部とによって構成されることが望ましい。
【００１５】
尚、前記保持機構において、前記ローラに代えて、その表面が低い滑り抵抗を有するプレート状の滑り機構を設けるようにしても良いものである。
【発明の効果】
【００１６】
以上のように、本願発明によれば、最終移動引戸を安定して吊下することができるとともに、最終移動引戸の押し引きだけで、最終移動引戸を面一位置又は開口移動するための位置に移動させることができるという効果を奏する。
【図面の簡単な説明】
【００１７】
【図１】本願発明の実施例１に係る引戸装置の概略構成図である。
【図２】本願発明の実施例１に係る引戸装置の動作説明図である。
【図３】本願発明の実施例１に係る引戸装置の一部拡大説明図である。
【図４】本願発明の実施例２に係る引戸装置の概略構成図である。
【図５】本願発明の実施例２に係る引戸装置の説明図である。
【発明を実施するための最良の形態】
【００１８】
本願発明の引戸装置は、開閉が所望される開口部の一端に位置する固定戸又は壁部からなる非移動部分と、該非移動部分に沿って移動して前記開口部を開閉するための少なくとも１つの移動引戸と、前記非移動部分に沿った方向に前記移動引戸を移動させる第１のレール、前記移動引戸を前記非移動部分と面一の位置で移動させる第２のレール及び前記第１のレールと第２のレールとの間を所定の角度で接続する傾斜レールによって一連に構成されるガイドレールとを具備する引戸装置において、前記移動引戸であって、最終的に前記開口部を開閉する最終移動引戸が、ガイドレール上を移動する第１の滑車を具備すると共に、該第１の滑車を回転自在に保持し且つ前記最終移動引戸の閉扉方向前方である一端側を回転自在に支持する第１の支持部を具備する第１の滑車機構と、前記第１の支持部に回転自在に保持される一端を有すると共に、前記最終移動引戸の上端縁に沿って延出する連結プレートと、前記ガイドレール上を移動する第２の滑車を具備すると共に、該第２の滑車を回転自在に保持し且つ前記保持プレートの他端に固定される第２の支持部を有する第２の滑車機構と、前記最終移動引戸の上端縁の他端側に固定され、前記最終移動引戸と前記連結プレートとが平行に位置する時に、前記連結プレートの一端上に位置して前記最終移動引戸の他端側を保持すると共に、前記最終移動引戸が前記非移動部分と整合する位置に移動した場合に、前記非移動部分に設けられた保持部に位置して前記最終移動引戸の他端側を保持する保持機構とを具備するものである。
【実施例１】
【００１９】
本願発明の実施例１に係る引戸装置１は、図１に示すように、会議室や大広間を仕切って２つの部屋に分割する場合や、出入り口などの開閉を行う場合に使用されるもので、開口部９の一端を閉塞する非移動部分、例えば固定戸２と、天井等の設置されるガイドレール３に沿って移動可能な少なくとも一つの移動引戸４（４Ａ、４Ｂ）とによって構成される。
【００２０】
移動引戸４のうち最初に移動される移動引戸４Ａは、その上縁部両端近傍に回転自在に移動引戸４Ａを保持するとともにガイドレール３上を移動する滑車５を有する滑車機構６を具備する。
【００２１】
また、移動引戸４のうち最後に移動して開口部９を閉鎖する最終移動引戸４Ｂは、第１及び第２の滑車機構７，８を具備するとともに、移動機構１０を具備する。
【００２２】
前記ガイドレール３は、図２に示すように、前記固定戸２に沿って延出する第１のレール３１と、前記固定戸２と面一になるように前記移動引戸４Ａを移動させる第２のレール３３と、前記第１のレール３１と前記第２のレール３３とを所定の角度で連結する傾斜レール３２とによって構成される。
【００２３】
以上の構成により、前記移動引戸４Ａを固定戸２の背面部分から第１のレール３１に沿って引き出して移動させると、滑車機構６が第１のレール３１から傾斜レール３２を介して第２のレール３３に移動し、移動引戸４Ａが前記固定戸２と面一の状態で開口部９の他端側に移動し、その部分を閉鎖する。
【００２４】
前記最終移動引戸４Ｂに設けられる実施例１に係る移動機構１０は、図２及び図３に示すように、前記最終移動引戸４Ｂが最終配置箇所に移動するときに、前記第１のレール３１から前記傾斜レール３２を介して前記第２のレール３３へ移動するとともに前記最終移動引戸本体部（以下、引戸本体部）４０の一端側４１を回転自在に保持する第１の滑車機構７と、前記最終移動引戸４Ｂの他端側４２で前記第１のレール３１を移動する第２の滑車機構８と、前記一端側４１において前記第１の滑車機構７を、他端側４２において前記第２の滑車機構８を回転自在に保持するとともに前記第１の滑車機構７の支持軸７０を支点として回動自在である連結プレート８０とを具備する。さらに、本願発明によれば、前記引戸装置１は、前記最終移動引戸４Ｂの前記第２の滑車機構８の近傍、いわゆる他端側４２に配され、前記最終移動引戸４Ｂの他端側４２を前記連結プレート８０に保持させると共に、前記最終移動引戸４Ｂの他端側４２を前記固定戸２側に保持させる保持機構９０を具備するものである。
【００２５】
前記連結プレート８０は、その一端側で前記第１の滑車機構７の支持軸７０に対して前記第１の滑車機構７の滑車５を回転自在に保持するとともに前記支持軸７０に回転自在である第１の滑車支持部７１に固定され、その他端側では第２の滑車機構８の滑車５を回転自在に保持する第２の滑車支持部８１を回転自在に保持する。また、また前記連結プレート８０の他端側端部は、前記最終移動引戸４Ｂの引戸本体部４０の他端側４２を支持するための支持部８２となるものである。
【００２６】
実施例１に係る前記保持機構９０は、前記連結プレート８０の他端側端部である支持部８２と、前記固定戸２に設けられる固定側保持部２０と、前記最終移動引戸４Ｂの引戸本体部４０の他端側４２に固定され、前記連結プレート８０の支持部８２上に位置して前記引戸本体部４０を支える連結プレート側ローラ４４及び前記固定戸２の上縁部端部に設けられた保持部２０上に位置して前記引戸本体部４０を支える固定戸側ローラ４５とを具備する引戸支持部４３とによって構成される。
【００２７】
これによって、前記最終移動引戸４Ｂが移動する場合又は図２（ａ）で示される位置に到達した場合は、前記引戸本体部４０の連結プレート側ローラ４４が前記連結プレート８０の支持部８２にあるので、引戸本体部４０は、第１の滑車機構７及び支持部８２の２点で吊下されることになるため、引戸本体部４０を十分に吊下することができるものである。
【００２８】
この状態から、引戸本体部４０の他端側４２を面一側へ押し出すことによって引戸本体部４０が面一側に前記第１の滑車機構７の支持軸７０を支点として回動し、前記引戸支持部４３の連結プレート側ローラ４４が連結プレート８０の支持部８２から外れ、これに代わって前記固定戸側ローラ４５が前記固定戸２の上方にある保持部２０上に位置するので、前記引戸本体部４０が第１の滑車機構７と固定戸２の保持部２０によって保持され、図２（ｂ）で示されるように、最終移動引戸４Ｂを移動引戸４Ａ及び固定戸２と面一となるように配置できるものである。また、引戸支持部４３の連結プレート側ローラ４４が支持部８２から外れる直前に、引戸支持部４３の固定戸側ローラ４５が固定戸２の保持部２０に保持されることから、前記第１の滑車機構７へ過剰な負荷がかかることを防止することができるものである。
【００２９】
また、移動引戸４を引いて開口部を開く場合には、上述した操作を逆に行うことによって、移動引戸４を固定戸２の背面に移動させることができるものである。
【００３０】
尚、前記ローラ４４，４５に代えて、表面が低い滑り抵抗を有する滑りプレートを設けるようにしても良いものである。
【実施例２】
【００３１】
以下、この発明に実施例２について説明する。尚、実施例１と同様の箇所又は同様の効果を奏する箇所には同一の符号を付してその説明を省略する。
【００３２】
本願発明の実施例２に係る保持機構９０Ａは、図４に示すように、引戸本体部４０の上端縁４６の他端側４２近傍に固定された引戸支持部４３Ａを有する。この引戸支持部４３Ａは矩形に屈曲されて引戸本体部４０の他端側へ延出する保持部４７を有する。
【００３３】
またこの実施例２では、この保持部４７を連結プレート８０側で保持するために、連結プレート８０の他端側端部に下方へ屈曲する延出保持部８３（図５（ａ）に示す）が形成され、この延出保持部８３に前記保持部４７を保持するために連結プレート側保持ローラ４４Ａが設けられる。また、前記固定部２０には、前記保持部４７を固定部２０で保持するために固定部側保持ローラ４５Ａが設けられる（図４及び図５（ｂ）に示す）。
【００３４】
これによって、最終移動引戸４Ｂが移動する場合、又は前記最終移動引戸４Ｂが移動する場合又は図２（ａ）で示される位置に到達した場合には、前記最終移動引戸４Ｂの引戸本体部４０と連結プレート８０が平行であることから、前記保持部４７は、連結プレート８０に設けられた連結プレート側保持ローラ４４Ａ上に位置しているために、図５（ａ）で示すように、引戸本体部４０は、連結プレート８０の両端において保持され、第１の滑車機構７と第２の滑車機構８によって吊下されるものである。
【００３５】
また、この状態から、引戸本体部４０の他端側４２を面一側へ押し出すことによって引戸本体部４０が面一側に前記第１の滑車機構７の支持軸７０を支点として回動し、前記引戸支持部４３の保持部４７が連結プレート側保持ローラ４４Ａから外れる直前に、前記固定部２０に設けられた固定戸側保持ローラ４５Ａ上に移動するので、前記引戸本体部４０は図５（ｂ）で示されるように、第１の滑車機構７と固定戸２の保持部２０によって保持されるので、図２（ｂ）で示されるように、前記第１の滑車機構７へ過剰な負荷がかかることを防止することができ、最終移動引戸４Ｂを移動引戸４Ａ及び固定戸２と面一となるように配置できるものである。
【００３６】
尚、前記保持ローラ４４Ａ，４５Ａに代えて、表面が低い滑り抵抗を有する滑りプレートを設けるようにしても良いものである。
【符号の説明】
【００３７】
１  引戸装置
２  固定戸
３，３Ａ  ガイドレール
４，４Ａ  移動引戸
４Ｂ  最終移動引戸
５  滑車
６  滑車機構
７  第１の滑車機構
８  第２の滑車機構
９  開口部
１０  移動機構
３１  第１のレール
３２  傾斜レール
３３  第２のレール
４０  引戸本体部
４３  引戸支持部
７０  支持軸
８０  連結プレート
９０  保持機構
【図１】
0005506338.tif 000002
【図２】
0005506338.tif 000003
【図３】
0005506338.tif 000004
【図４】
0005506338.tif 000005
【図５】
0005506338.tif 000006